(57)【要約】【課題】  ユーザーが所望する画像部分を確実に含む所望形状の画像を容易に撮像することができるようにする。【解決手段】  撮像素子６４は受光面が正方形であり、撮像素子６４で撮像した被写体１００の画像を同様に正方形であるＬＣＤファインダーに全画面表示することが可能である。そして、（ａ）に示したように、「Ａ４判  横」が選択されたとすると、縦横比「１．４１」を設定し、ＬＣＤファインダー１０に被写体１００のスルー画像１０１を表示するとともに、設定された縦横比（１．４１）の構図枠１０２を正方形のＬＣＤファインダー１０において最大限に表示する。したがって、ユーザーは用紙サイズを選択することにより、容易に所望の形状からなる画像範囲を指定することができる。また、撮影指示があると、フルサイズの正方画像データ１０３を画像メモリに記録し、用紙（Ａ４）の縦横比の画像データ１０４も画像メモリに記録する。【選択図】      図６
2005354577.tif 000002
【特許請求の範囲】
【請求項１】
被写体を撮像して画像データを出力する撮像手段と、
この撮像手段から出力される画像データに基づき前記被写体のスルー画像を画面に表示する表示手段と、
記録すべき画像範囲の形状を指定する指定手段と、
この指定手段により指定された前記画像範囲の形状に基づき、前記表示手段に表示されたスルー画像上において前記形状に対応する形状ガイドを表示させる表示制御手段と
を備えることを特徴とする撮像装置。
【請求項２】
前記画像範囲の形状は矩形であることを特徴とする請求項１記載の撮像装置。
【請求項３】
前記形状ガイドは、前記画像範囲の形状を示す枠であることを特徴とする請求項１または２記載の撮像装置。
【請求項４】
前記表示手段の画面は正方形であり、前記表示制御手段は前記枠を前記画面において最大の大きさで表示することを特徴とする請求項３記載の撮像装置。
【請求項５】
前記指定手段は、印刷用紙の種類により前記画像範囲の形状を指定することを特徴とする請求項２、３または４記載の撮像装置。
【請求項６】
前記指定手段は、アスペクト比により前記画像範囲の形状を指定することを特徴とする請求項２、３または４記載の撮像装置。
【請求項７】
撮影指示に応答して、前記形状ガイドにより示される前記画像範囲内の画像データを記録手段に記録する記録制御手段を更に備えることを特徴とする請求項１から６にいずれか記載の撮像装置。
【請求項８】
前記記録制御手段は、更に前記撮像手段から出力された被写体の全画像データを前記記録手段に記録することを特徴とする請求項７記載の撮像装置。
【請求項９】
前記指定手段により指定された前記画像範囲の形状の大きさに応じて、画質を自動的に設定する設定手段を更に備え、前記記録制御手段は前記設定手段により設定された画質からなる前記画像範囲内の画像データを記録手段に記録することを特徴とする請求項７記載の撮像装置。
【請求項１０】
撮影指示に応答して、前記撮像手段から出力された被写体の全画像データを記録手段に記録する第１の記録制御手段と、
この第１の記録制御手段により前記記録手段に記録された被写体の全画像データから、前記指定手段により指定された前記画像範囲の画像データを抽出し、前記記録手段に記録する第２の記録制御手段と
を備えることを特徴とする請求項１から６にいずれか記載の撮像装置。
【請求項１１】
前記指定手段により指定された印刷用紙の種類の大きさを判断し、
この判断結果に応じて、前記画像範囲内の画像データを記録手段に記録する際の画像サイズ、または前記撮像手段から出力された被写体の全画像データを前記記録手段に記録する際の画像サイズを制御する制御手段を有することを特徴とする請求項５記載の撮像装置。
【請求項１２】
前記記録制御手段は、前記各画像データとともに前記画像範囲を示す情報を前記記録手段に記録することを特徴とする請求項７から１０にいずれか記載の撮像装置。
【請求項１３】
被写体を撮像して画像データを出力する撮像手段と、この撮像手段から出力される画像データに基づき前記被写体のスルー画像を画面に表示する表示手段とを備える撮像装置における表示制御方法であって、
記録すべき画像範囲の形状を指定する指定工程と、
この指定工程により指定された前記画像範囲の形状に基づき、前記表示手段に表示されたスルー画像上において前記形状に対応する形状ガイドを表示させる表示制御工程と、
を含むことを特徴とする撮像装置の表示制御方法。
【請求項１４】
被写体を撮像して画像データを出力する撮像手段と、この撮像手段から出力される画像データに基づき前記被写体のスルー画像を画面に表示する表示手段と、操作手段とを備えるカメラ装置が有するコンピュータを、
前記操作手段の操作に応じて記録すべき画像範囲の形状を指定する指定手段と、
この指定手段により指定された前記画像範囲の形状に基づき、前記表示手段に表示されたスルー画像上において前記形状に対応する形状ガイドを表示させる表示制御手段と、
して機能させることを特徴とする表示制御プログラム。
【発明の詳細な説明】
【技術分野】
【０００１】
本発明は、電子ファインダー等の被写体を表示する手段を備えた撮像装置、この撮像装置の表示方法及び表示制御プログラムに関する。
【背景技術】
【０００２】
従来の撮像装置としては、下記特許文献１〜３に記載のものが公知である。
特許文献１；正方形の画像を撮影してデジタル画像データに変換し、縦／横切換手段の状態に応じて、正方形の画像データの縦または横を切り取った一部領域を画像メモリに記録する。
特許文献２；被写体画像上の第１点と第２点とを指定してトリミング位置を指定し、第１点と第２点との縦もしくは横方向の一方の寸法とアスペクト比とに基づいてトリミング範囲を設定する。
【特許文献１】特許第２８８２３９１号公報
【特許文献２】特許第３３７２９８９号公報
【発明の開示】
【発明が解決しようとする課題】
【０００３】
しかしながら、特許文献１記載の技術にあっては、正方形の画像データの縦または横を切り取った一部領域を画像メモリに記録することから、切り取られた部分にユーザーが所望する画像部分を含まれている場合が生じ、ユーザーが所望する画像部分を含む画像を記憶させることができない。また、一義的に正方形の画像データの縦または横を切り取った一部領域が記憶されることから、ユーザーが所望する形状の画像範囲を有する画像を記録することもできない。
【０００４】
一方、特許文献２記載の技術にあっては、トリミング範囲内にユーザーが所望する画像部分を含ませたり、ユーザーが所望する形状の画像範囲を記録することが可能となる。しかし、撮影に際して被写体画像上の第１点と第２点とを指定してトリミング位置を指定する操作を行うことは煩雑であり、ユーザーが所望する画像部分を含む画像範囲を容易に指定することができない。
【０００５】
本発明は、かかる従来の課題に鑑みてなされたものであり、ユーザーが所望する画像部分を確実に含む所望形状の画像を容易に撮像することのできる撮像装置、撮像装置の表示方法及び表示制御プログラムを提供することを目的とする。
【課題を解決するための手段】
【０００６】
前記課題を解決するため請求項１記載の発明にかかる撮像装置にあっては、被写体を撮像して画像データを出力する撮像手段と、この撮像手段から出力される画像データに基づき前記被写体のスルー画像を画面に表示する表示手段と、記録すべき画像範囲の形状を指定する指定手段と、この指定手段により指定された前記画像範囲の形状に基づき、前記表示手段に表示されたスルー画像上において前記形状に対応する形状ガイドを表示させる表示制御手段とを備える。
【０００７】
したがって、ユーザーは記録すべき画像範囲の形状を指定する簡単な操作により、表示手段の画面に表示された被写体のスルー画像上に、指定した形状に対応する形状ガイドを表示させることができる。よって、ユーザーは表示手段の画面を視認しつつ形状ガイド内に被写体の所望部分が所望の大きさで収まるように、この撮像装置の向きや表示手段の画面に表示される被写体の大きさを調整することにより、ユーザーが所望する画像部分を確実に含む所望形状の画像を容易に撮像することが可能となる。
【０００８】
また、請求項２記載の発明にかかる撮像装置にあっては、前記画像範囲の形状は矩形である。したがって、ユーザーは記録すべき画像範囲の矩形形状を指定する簡単な操作により、表示手段の画面に表示された被写体のスルー画像上に、指定した矩形形状に対応する形状ガイドを表示させることができる。
【０００９】
また、請求項３記載の発明にかかる撮像装置にあっては、前記形状ガイドは、前記画像範囲の形状を示す枠である。したがって、ユーザーは表示手段の画面を視認しつつ枠内に被写体の所望部分が所望の大きさで収まるように、この撮像装置の向きや表示手段の画面に表示される被写体の大きさを調整することにより、ユーザーが所望する画像部分を確実に含む所望形状の画像を容易に撮像することが可能となる。
【００１０】
また、請求項４記載の発明にかかる撮像装置にあっては、前記表示手段の画面は正方形であり、前記表示制御手段は前記枠を前記画面において最大の大きさで表示する。したがって、正方形の画面を有効に利用して、記録すべき画像範囲を最大にしつつ矩形枠等の形状ガイドを表示させることができる。
【００１１】
また、請求項５記載の発明にかかる撮像装置にあっては、前記指定手段は、印刷用紙の種類により前記画像範囲の形状を指定する。したがって、Ａ４、Ｂ５等の印刷用紙の種類を入力したり、複数種の印刷用紙からいずれかを選択する簡単な操作により、表示手段の画面に表示された被写体のスルー画像上に、指定した印刷用紙の種類に対応する形状の形状ガイドを表示させることができる。
【００１２】
また、請求項６記載の発明にかかる撮像装置にあっては、前記指定手段は、アスペクト比により前記画像範囲の形状を指定する。したがって、アスペクト比を入力したり、複数種のアスペクト比からいずれかを選択する簡単な操作により、表示手段の画面に表示された被写体のスルー画像上に、指定したアスペクト比に対応する形状の形状ガイドを表示させることができる。
【００１３】
また、請求項７記載の発明にかかる撮像装置にあっては、撮影指示に応答して、前記形状ガイドにより示される前記画像範囲内の画像データを記録手段に記録する記録制御手段を更に備える。したがって、指定手段により指定した記録すべき形状の画像範囲の内の画像データを撮影して記録することができ、よって、撮影後トリミング加工を要することなく、指定したき形状の画像範囲からなる画像をプリントすることができる。
【００１４】
また、請求項８記載の発明にかかる撮像装置にあっては、前記記録制御手段は、更に前記撮像手段から出力された被写体の全画像データを前記記録手段に記録する。したがって、記録手段に記録された被写体の全画像データを用いて、撮影後トリミングや編集を行うことも可能となる。また、撮影時に想定したものとは異なる用紙サイズや構図、アスペクト比で撮影画像を印刷出力することも可能となる。
【００１５】
また、請求項９記載の発明にかかる撮像装置にあっては、前記指定手段により指定された前記画像範囲の形状の大きさに応じて、画質を自動的に設定する設定手段を更に備え、前記記録制御手段は前記設定手段により設定された画質からなる前記画像範囲内の画像データを記録手段に記録する。したがって、指定された前記画像範囲の形状の大きさに応じて適切な画質で撮影画像を記録することができる。
【００１６】
また、請求項１０記載の発明にかかる撮像装置にあっては、撮影指示に応答して、前記撮像手段から出力された被写体の全画像データを記録手段に記録する第１の記録制御手段と、この第１の記録制御手段により前記記録手段に記録された被写体の全画像データから、前記指定手段により指定された前記画像範囲の画像データを抽出し、前記記録手段に記録する第２の記録制御手段とを備える。つまり、この撮像装置の場合、記録手段に被写体の全画像データを記録した後に、指定された前記画像範囲の画像データを抽出して、前記記録手段に記録する。したがって、指定された前記画像範囲の画像データを抽出して、前記記録手段に記録する処理は、撮影指示後に余裕をもって実行することができることから、撮影時に不可欠となる処理負担を軽減することができる。
【００１７】
また、請求項１１記載の発明にかかる撮像装置にあっては、前記指定手段により指定された印刷用紙の種類の大きさを判断し、この判断結果に応じて、前記画像範囲内の画像データを記録手段に記録する際の画像サイズ、または前記撮像手段から出力された被写体の全画像データを前記記録手段に記録する際の画像サイズを制御する制御手段を有する。従って、適切な画像サイズで撮影画像を記録することができる。
【００１８】
また、請求項１２記載の発明にかかる撮像装置にあっては、前記記録制御手段は、前記各画像データとともに前記画像範囲を示す情報を前記記録手段に記録する。したがって、画像範囲の画像をプリンターでプリント出力する際に、画像範囲を示す情報に基づき、適正に前記画像範囲の画像をプリントすることができる。
【００１９】
また、請求項１３記載の発明にあっては、被写体を撮像して画像データを出力する撮像手段と、この撮像手段から出力される画像データに基づき前記被写体のスルー画像を画面に表示する表示手段とを備える撮像装置における表示制御方法であって、記録すべき画像範囲の形状を指定する指定工程と、この指定工程により指定された前記画像範囲の形状に基づき、前記表示手段に表示されたスルー画像上において前記形状に対応する形状ガイドを表示させる表示制御工程とを含む。したがって、記載した工程に従って処理を実行することにより、請求項１記載の発明と同様の作用効果を奏する。
【００２０】
また、請求項１４記載の発明にかかる表示制御プログラムにあっては、被写体を撮像して画像データを出力する撮像手段と、この撮像手段から出力される画像データに基づき前記被写体のスルー画像を画面に表示する表示手段と、操作手段とを備えるカメラ装置が有するコンピュータを、前記操作手段の操作に応じて記録すべき画像範囲の形状を指定する指定手段と、この指定手段により指定された前記画像範囲の形状に基づき、前記表示手段に表示されたスルー画像上において前記形状に対応する形状ガイドを表示させる表示制御手段として機能させる。したがって、記載した工程に従って処理を実行することにより、請求項１記載の発明と同様の作用効果を奏する。
【発明の効果】
【００２１】
以上のように本発明によれば、記録すべき画像範囲の形状を指定する簡単な操作により、表示手段の画面に表示された被写体のスルー画像上に、指定した形状に対応する形状ガイドを表示させることができる。よって、表示手段の画面を視認しつつ形状ガイド内に被写体の所望部分が所望の大きさで収まるように、この撮像装置の向きや表示手段の画面に表示される被写体の大きさを調整することにより、ユーザーが所望する画像部分を確実に含む所望形状の画像を容易に撮像することが可能となる。
【発明を実施するための最良の形態】
【００２２】
以下、本発明の一実施の形態を図に従って説明する。
（第１の実施の形態）
図１に示すように、本実施の形態に係るデジタルカメラ１の本体２には、正面上部に撮像レンズ３が配置され、その下部にマイク４及びメモリ収納部５が設けられている。撮像レンズ３は本体２の左側面に向いた状態（ａ）と、正面に向いた状態（ｂ）とに回転操作自在である。また、本体２の上面にはシャッタボタン６が配置され、背面に録画開始／停止ボタン７、ズームボタン８、及び外部出力端子部９が配置されているとともに、右側面には正方形の画面を有するＬＣＤファインダー１０が配置されている。ＬＣＤファインダー１０は２軸回転収納式であって、本体２の右側面部に面一状に収納した静止画像（スチル）撮影の場合（ａ）と、本体２の右側面部に対し交差する方向に突出させた動画像（ビデオ）撮影の場合（ｂ）とに変化可能である。
【００２３】
つまり、このデジタルカメラ１は、撮像レンズ３を右側面に向けて、図２（ａ）（ｂ）に示すように、ＬＣＤファインダー１０を収納した状態にて右手で握持することにより、横構図と縦構図で静止画像撮影を行うものであり、また、撮像レンズ３を正面に向けて、同図（ｃ）に示すように、ＬＣＤファインダー１０を突出させた状態にすることにより、動画像撮影を行うものである。
【００２４】
図３は、デジタルカメラ１の回路構成を示すブロック図である。図に示すように、前記シャッタボタン６は、半押し時点と全押し時点とで夫々オンとなる２段スイッチ２１に連係され、前記録画開始／停止ボタン７はこれを操作している間のみオンとなる常開スイッチ２２の上部に配置されている。その他の操作入力部２３は、シャッタボタン６と録画開始／停止ボタン７以外の前記図１に示した各種ボタンや後述するフローチャートに示すスイッチ群で構成され、このスイッチ群及び前記各スイッチのオン・オフ情報は、入力回路２４を介して、制御回路２５に入力される。制御回路２５は、ＣＰＵ及びその周辺回路と、ＣＰＵの作業用メモリであるＲＡＭ等から構成されるマイクロコンピュータであり、各部を制御する。
【００２５】
この制御回路２５には、表示メモリ２６、表示駆動ブロック２７、画像バッファメモリ２８、画像信号処理部２９、圧縮符号化／伸長復号化部３０、静止画／動画画像メモリ３１、プログラムメモリ３２、データメモリ３３、外部メモリインタフェース３４、外部Ｉ／Ｏインターフェース３５、及び電源制御ブロック３６が接続されている。表示メモリ２６には、ＬＣＤファインダー１０に表示される各種表示データが一時的に記憶される。表示駆動ブロック２７は、前記ＬＣＤファインダー１０を駆動し、画像バッファメモリ２８は、画像データを処理する際等において一時的に格納する。
【００２６】
画像信号処理部２９は、後述する撮像素子から制御回路２５が取り込んだ画像信号に対する各種処理を実行するＤＳＰからなる。圧縮符号化／伸長復号化部３０は、この画像信号処理部で処理された画像データを記録時には伸長処理し、記録した画像データを再生する際には伸長復号化する。静止画／動画画像メモリ３１は、シャッタボタン６または録画開始／停止ボタン７の操作により撮像された画像データ（静止画像データ、動画像データ）を記録保存する。プログラムメモリ３２は、後述するフローチャートに示す制御回路２５の制御プログラムを格納しており、データメモリ３３は後述するデータが予め格納されているとともに画像データ以外の他のデータを格納する。外部メモリインタフェース３４は、着脱自在な外部メモリ３７に接続されている。外部Ｉ／Ｏインターフェース３５は、ＬＡＮ通信ＩＦ３８を介してＬＡＮコネクタ３９に接続され、ＵＳＢ通信ＩＦ４０を介してＵＳＢコネクタ４１に接続されているとともに、コネクタ４２に接続されている。電源制御ブロック３６には、電池４３と充電制御ブロック４４とが接続されており、これら電池４３と充電制御ブロック４４からの電力は電源制御ブロック３６及び制御回路２５を介して各部に供給される。
【００２７】
さらに、制御回路２５には、コネクタ部／回動コネクタ４５を介して撮影制御ブロック４６が接続されているとともに、回転検出ブロック４７が接続されている。この回転検出ブロックは、前記撮像レンズ３の回転操作を検出して制御回路２５に出力するものである。前記撮影制御ブロック４６には、焦点制御ブロック５０、ズーム制御ブロック５１、絞り制御ブロック５２、シャッタ制御ブロック５３、Ａ／Ｄ回路５４、ＣＤＳ／ＡＧＣ６５、タイミング制御＆ドライバ５５、露出制御ブロック５６、測距制御ブロック５７、及びフラッシュ制御ブロック５８が接続されている。焦点制御ブロック５０は、被写体像を合焦させるべく撮像レンズ３を駆動するレンズ駆動ブロック６０を制御し、ズーム制御ブロック５１は、ズームボタン８の操作に応じて被写体像を拡大または縮小すべく撮像レンズ３を駆動するレンズ駆動ブロック６１を制御する。
【００２８】
絞り制御ブロック５２は、撮像レンズ３とＣＣＤからなる撮像素子６４との間に配置された絞り６２を制御し、シャッタ制御ブロック５３は、絞り６２と撮像素子６４との間に配置されたシャッタ６３を制御する。Ａ／Ｄ回路５４は、ＣＤＳ／ＡＧＣ６５を介して撮像素子６４より入力されるアナログ画像信号をデジタル信号に変換する。タイミング制御＆ドライバ５５は、タイミング信号を発生してＣＣＤからなる撮像素子６４とＣＤＳ／ＡＧＣ６５とを駆動する。ＣＤＳ／ＡＧＣ６５は、撮像素子６４から出力された撮像信号を保持するＣＤＳと、ＣＤＳから撮像信号を供給されるアナログアンプであるゲイン調整アンプ（ＡＧＣ）とからなる。露出制御ブロック５６は、測光、測距センサ６６を制御するとともに、この測光、測距センサ６６からの測光信号を処理して制御回路２５に入力し、測距制御ブロック５７は測距信号を処理して制御回路２５に入力する。フラッシュ制御ブロック５８は、フラッシュ６８を駆動するフラッシュ駆動ブロック６７を制御する。
【００２９】
前記データメモリ３３には、図４に示す第１テーブル３３１と図５に示す第２テーブル３３２とが格納されている。第１テーブル３３１は、「Ａ２  ヨコ」「Ａ４  タテ」「はがき  ヨコ」「六つ切」等の用紙の種類（印刷用紙または印画紙の種類）に対応して、当該用紙の寸法である幅Ｗ（ｍｍ）と高Ｈ（ｍｍ）及び寸法比Ｗ／Ｈが記憶されている。また、第２テーブル３３２には、「ＶＧＡ」「ＳＸＧＡ」等の画質モードに対応して、画像サイズ（画素）のＷ（ｐｉｘｅｌ）とＨ（ｐｉｘｅｌ）、縦横比Ｗ／Ｈ、１５０ｄｐｉでの印刷寸法Ｗ（ｍｍ）とＨ（ｍｍ）、３００ｄｐｉでの印刷寸法Ｗ（ｍｍ）とＨ（ｍｍ）、６００ｄｐｉでの印刷寸法Ｗ（ｍｍ）とＨ（ｍｍ）が記憶されている。
【００３０】
なお、図６に示すように、前記撮像素子６４は受光面が正方形であり、よって、撮像素子６４により正方の画像データ６４１が得られるとともに、撮像素子６４で撮像した被写体１００の画像を同様に正方形であるＬＣＤファインダー１０に全画面表示される。
【００３１】
以上の構成に係る本実施の形態において、制御回路２５はプログラムメモリ３２に格納されているプログラムに基づき、図７に示すフローチャートに従って処理を実行する。先ず、ユーザーによるその他の操作入力部２３での操作により、静止画撮影モードが設定されているか否かを判断する（ステップＳ１０１）。静止画撮影モードが設定されていない場合には、その他のモード処理を実行する。静止画撮影モードが設定されている場合には、露出条件などの撮影条件を設定し（ステップＳ１０４）、ユーザーによるその他の操作入力部２３での操作に従って、印刷用紙の種類または寸法を選択する（ステップＳ１０４）。この印刷用紙の種類または寸法の選択は、第１テーブル３３１に記憶されている用紙の種類や用紙寸法をＬＣＤファインダー１０に表示させて、これらから選択させる。なお、ユーザーによるその他の操作入力部２３での操作により、用紙の種類や用紙寸法を入力させるようにしてもよい。
【００３２】
次に、このステップＳ１０４で選択された印刷用紙の種類または寸法と第１テーブル３３１のデータとに基づき、印刷用紙の縦横比に相当する構図枠の縦横比を設定する（ステップＳ１０５）。また、印刷用紙の寸法に応じて、画像サイズまたは画質モードを設定または自動設定する（ステップＳ１０６）。つまり、第２テーブル３３２を参照して、画像サイズまたは画質モードを自動設定するか、又はユーザーによるその他の操作入力部２３での操作に従って、画像サイズまたは画質モードを設定する。
【００３３】
また、設定画像サイズと縦横比から構図枠の縦横画素数を算出する（ステップＳ１０７）。つまり、設定画像サイズと縦横比から構図枠のをＬＣＤファインダー１０に、最大に表示させる際のＬＣＤファインダー１０における構図枠の縦横画素数を算出する。引き続き、測光処理、ＷＢ処理を実行するとともに（ステップＳ１０８）、ズーム処理、ＡＦ処理を実行する（ステップＳ１０９）。さらに、被写体像のスルー画像を設定された縦横比の構図枠とともにＬＣＤファインダー１０に表示させる。このとき構図枠は、ＬＣＤファインダー１０において最大限に表示させる（ステップＳ１１０）。したがって、ユーザーはＬＣＤファインダー１０を視認しつつ構図枠内に被写体の所望部分が所望の大きさで収まるように、このデジタルカメラ１の向き等を調整する。
【００３４】
一方、制御回路２５は、シャッタボタン６が全押しされて撮影指示がなされたか否かを判断する（ステップＳ１１１）。撮影指示がなされない場合には、その他のキー処理を実行し（ステップＳ１１２）、さらにその他の表示処理を実行する（ステップＳ１１９）。
【００３５】
そして、シャッタボタン６が全押しされて撮影指示がなされると、測光処理、ＷＢ処理、ＡＦ処理を実行し（ステップＳ１１３）、撮影条件でフルサイズの正方画像（撮像素子６４が受光面で受光した画像）を撮影する。さらに、ユーザーによるその他の操作入力部２３での予めの操作により、フルサイズ（正方）画像を同時に記録するモードが設定されているか否かを判断し（ステップＳ１１５）、設定されている場合にはフルサイズの正方画像を符号化して画像メモリ３１に記録する（ステップＳ１１６）。また、撮影画像の中から設定された構図枠の領域を抽出し、設定された画像サイズに変換する（ステップＳ１１７）。さらに抽出した構図枠画像を設定画像相当に圧縮符号化して、画像サイズ、用紙サイズ、縦横比情報とともに画像メモリ３１に記録する。
【００３６】
したがって、図６（ａ）に示したように、例えば前記ステップＳ１０４で「Ａ４判  横」が選択されたとすると、ステップＳ１０５の処理で縦横比「１．４１」が設定される。さらに、ステップＳ１１０の処理で、ＬＣＤファインダー１０に被写体１００のスルー画像１０１が表示されるとともに、設定された縦横比（１．４１）の構図枠１０２が正方形のＬＣＤファインダー１０において最大限に表示される。したがって、ユーザーは用紙サイズを選択することにより、容易に所望の形状からなる画像範囲を指定することができる。また、ステップＳ１１６の処理により、フルサイズの正方画像データ１０３が画像メモリ３１に記録される。さらに、ステップＳ１１８での処理により、用紙（Ａ４）の縦横比の画像データ１０４が画像メモリ３１に記録されることとなる。
【００３７】
また、図６（ｂ）に示したように、例えば前記ステップＳ１０４で「Ｌｅｔｔｅｒ判  縦」が選択されたとすると、ステップＳ１０５の処理で縦横比「０．７７」が設定される。さらに、ステップＳ１１０の処理で、ＬＣＤファインダー１０に被写体１００のスルー画像１０１が表示されるとともに、設定された縦横比（０．７７）の構図枠１０２が正方形のＬＣＤファインダー１０において最大限に表示される。したがって、ユーザーは用紙サイズを選択することにより、容易に所望の形状からなる画像範囲を指定することができる。また、ステップＳ１１６の処理により、フルサイズの正方画像データ１０３が画像メモリ３１に記録される。さらに、ステップＳ１１８での処理により、用紙（Ｌｅｔｔｅｒ）の縦横比の画像データ１０４が画像メモリ３１に記録されることとなる。
【００３８】
また、図６（ｃ）に示したように、例えば前記ステップＳ１０４で「Ｌ判  横」が選択されたとすると、ステップＳ１０５の処理で縦横比「１．４８」が設定される。さらに、ステップＳ１１０の処理で、ＬＣＤファインダー１０に被写体１００のスルー画像１０１が表示されるとともに、設定された縦横比（１．４８）の構図枠１０２が正方形のＬＣＤファインダー１０において最大限に表示される。したがって、ユーザーは用紙サイズを選択することにより、容易に所望の形状からなる画像範囲を指定することができる。また、ステップＳ１１６の処理により、フルサイズの正方画像データ１０３が画像メモリ３１に記録される。さらに、ステップＳ１１８での処理により、用紙（Ｌ判）の縦横比の画像データ１０４が画像メモリ３１に記録されることとなる。
【００３９】
したがって、ユーザーは構図枠１０２内に被写体の所望部分が所望の大きさで収まるように、このデジタルカメラ１の向き等を調整しつつ撮影を行うことにより、ユーザーが所望する形状の画像範囲を有する画像を記録することができる。さらに、フルサイズの正方画像データ１０３が画像メモリ３１に記録されることから、撮影後トリミングし直したり、構図を変えて再編集する際には、フルサイズの正方画像データ１０３を用いてこれを行うことも可能となる。
【００４０】
（第２の実施の形態）
図８は、本発明の第２の実施の形態における処理手順を示すフローチャートである。先ず、選択用紙の種別または寸法を選択する（ステップＳ２０１）。この選択に際しては、図９に示すように、ＬＣＤファインダー１０に「Ａ４  ヨコ」「Ａ５  ヨコ」等の印刷用紙とその幅Ｗ（ｍｍ）、高さＨ（ｍｍ）、縦横比＝Ｗ／Ｈを表示した選択画面を表示し、操作入力部２３での操作によるカーソルの移動と決定キー操作によりいずれかを選択させる。次に、撮影画像サイズと画質（圧縮率）を選択する（ステップＳ２０２）。この選択に際しては、図９に示すように、ＬＣＤファインダー１０に「画像サイズ：Ｍ（１２８０×１２８０）」「画像サイズ：Ｌ（２０４８×２０４８）」「画像サイズ：ＬＬ（３２００×３２００）」の選択画面を表示し、操作入力部２３での操作によるカーソルの移動と決定キー操作によりいずれかを選択させる。
【００４１】
引き続き、印刷用紙の縦横比（幅Ｗ／高Ｈ）を算出し（ステップＳ２０３）、正方の撮影視野内の構図枠の縦横比を印刷用紙と同じ縦横比に設定する（ステップＳ２０４）。さらに、「ヨコ（Ｗ）≧縦（Ｈ）」あるいは「縦横比Ｗ／Ｈ≧１．０」であるか否かを判断し、この判断がＹＥＳである場合にはヨコ長と判定し、ＮＯである場合にはタテ長と判断する（ステップＳ２０５）。
【００４２】
そして、ヨコ長と判定した場合には、下記式により構図枠の記録画像サイズのヨコ、タテを算出して設定する（ステップＳ２０６）。
ヨコＷ＝正方画像サイズ×１．０
タテＨ＝正方画像サイズ／（Ｗ／Ｈ）
また、タテ長と判定した場合には、下記式により構図枠の記録画像サイズのヨコ、タテを算出して設定する（ステップＳ２０７）。
ヨコＷ＝正方画像サイズ×（Ｗ／Ｈ）
タテＨ＝正方画像サイズ×１．０
【００４３】
次に、ＬＣＤファインダー１０にて正方撮像スルー画像に重ねて、ステップＳ２０４で設定した縦横比の構図枠を表示処理する（ステップＳ２０８）。このとき構図枠は、ＬＣＤファインダー１０において最大限に表示させる。したがって、このステップＳ２０４での処理により、図９（ａ）に示すように、「Ａ４  ヨコ」が選択された場合には、「Ａ４  ヨコ」の縦横比からなる構図枠１０２がＬＣＤファインダー１０に最大表示される。また、同図（ｂ）に示すように、「Ａ５  タテ」が選択された場合には、「Ａ５  タテ」の縦横比からなる構図枠１０２がＬＣＤファインダー１０に最大表示される。また、同図（ｃ）に示すように、「Ｌ判」が選択された場合には、「Ｌ判」の縦横比からなる構図枠１０２がＬＣＤファインダー１０に表示され、「Ｅ判」が選択された場合には、「Ｅ判」の縦横比からなる構図枠１０２がＬＣＤファインダー１０に最大表示される。
【００４４】
さらに、正方画像の撮影処理を実行し（ステップＳ２０９）、シャッタボタン６に応答して正方画像を符号化して画像メモリ３１に記録する（ステップＳ２１０）。また、撮影画像の中から設定された構図枠の領域を抽出し（ステップＳ２１１）、抽出した構図枠画像データを、画像サイズ情報、用紙サイズ、縦横比情報も合わせて画像メモリ３１に記録する（ステップＳ２１２）。
【００４５】
（第３の実施の形態）
図１０は、本発明の第３の実施の形態における処理手順を示すフローチャートである。先ず、選択用紙の種別または寸法を選択し（ステップＳ３０１）、プリンタの解像度（ｄｐｉ）を設定する（ステップＳ３０２）。引き続き、印刷用紙の縦横比（Ｗ／Ｈ）を算出し（ステップＳ３０３）、下記式により印刷用紙の縦横解像度（ｄｐｉ）に応じて必要な画素数を算出する（ステップＳ３０４）。
必要画素数（ヨコ）＝用紙サイズ（ヨコ）×解像度（ｄｐｉ）／２５．４
必要画素数（タテ）＝用紙サイズ（ヨコ）×解像度（ｄｐｉ）／２５．４
【００４６】
このステップＳ３０４での算出の結果、図１１に示すように、各用紙における縦横比Ｗ／Ｈ、２００ｄｐｉで印刷する場合の横（Ｗ）の必要画素数（ｐｉｘｅｌ）と縦（Ｈ）の必要画素数（ｐｉｘｅｌ）、３００ｄｐｉで印刷する場合の横（Ｗ）の必要画素数（ｐｉｘｅｌ）と縦（Ｈ）の必要画素数（ｐｉｘｅｌ）が算出される。
【００４７】
次に、撮影画像サイズを最低画像サイズに設定する（ステップＳ３０５）。つまり、図１２に示すように、画像サイズが「画像サイズ：Ｍ（１２８０×１２８０）」「画像サイズ：Ｌ（２０４８×２０４８）」「画像サイズ：ＬＬ（３２００×３２００）」の３種類ある場合、最低画像サイズである「画像サイズ：Ｍ（１２８０×１２８０）」を設定する。さらに、「ヨコ（Ｗ）≧縦（Ｈ）」あるいは「縦横比Ｗ／Ｈ≧１．０」であるか否かを判断し、この判断がＹＥＳである場合にはヨコ長と判定し、ＮＯである場合にはタテ長と判断する（ステップＳ３０６）。
【００４８】
そして、タテ長と判定した場合には、「画像サイズ（タテ）≧必要画素数（ヨコ）」であるか否かを判断し（ステップＳ３０７）、このステップＳ３０７の判断がＮＯである場合には一段上の画像サイズがあるか否かを判断する（ステップＳ３０８）。１段上の画像サイズがある場合には、撮影画像サイズを１段上げて設定した後（ステップＳ３０９）、ステップＳ３０７からの処理を再度実行する。
【００４９】
その結果、ステップＳ３０７の判断がＹＥＳとなった場合には、撮影画像サイズを設定画面サイズの正方に設定する（ステップＳ３１０）。さらに、下記式にて正方視野内の構図枠を算出する（ステップＳ３１１）。
構図枠（ヨコ）＝正方画像サイズ×（Ｗ／Ｈ）
構図枠（タテ）＝正方画像サイズ×１．０
【００５０】
一方、ステップＳ３０６でヨコ長と判定した場合には、「画像サイズ（ヨコ）≧必要画素数（ヨコ）」であるか否かを判断し（ステップＳ３１２）、このステップＳ３１２の判断がＮＯである場合には一段上の画像サイズがあるか否かを判断する（ステップＳ３１３）。１段上の画像サイズがある場合には、撮影画像サイズを１段上げて設定した後（ステップＳ３１４）、ステップＳ３１２からの処理を再度実行する。
【００５１】
その結果、ステップＳ３１２の判断がＹＥＳとなった場合には、撮影画像サイズを設定画面サイズの正方に設定する（ステップＳ３１５）。さらに、下記式にて正方視野内の構図枠を算出する（ステップＳ３１６）。
構図枠（ヨコ）＝正方画像サイズ×１．０
構図枠（タテ）＝正方画像サイズ×（Ｗ／Ｈ）
【００５２】
次に、ＬＣＤファインダー１０にて正方撮像スルー画像に重ねて、ステップＳ３０１での選択により設定した縦横比の構図枠を表示処理する（ステップＳ３１７）。したがって、このステップＳ３１７での処理により、図１２（ａ）に示すように、「Ａ４  ヨコ」が選択された場合には、「Ａ４  ヨコ」の縦横比からなる構図枠１０２がＬＣＤファインダー１０に表示される。また、同図（ｂ）に示すように、「Ａ５  タテ」が選択された場合には、「Ａ５  タテ」の縦横比からなる構図枠１０２がＬＣＤファインダー１０に表示される。また、同図（ｃ）に示すように、「Ｌ判」が選択された場合には、「Ｌ判」の縦横比からなる構図枠１０２がＬＣＤファインダー１０に表示される。
【００５３】
さらに、正方画像の撮影処理を実行し（ステップＳ３１８）、シャッタボタン６に応答して正方画像を符号化して画像メモリ３１に記録する（ステップＳ３１９）。また、撮影画像の中から設定された構図枠の領域を抽出し（ステップＳ３２０）、抽出した構図枠画像データを、画像サイズ情報、用紙サイズ、縦横比情報も合わせて画像メモリ３１に記録する（ステップＳ３２１）。
【００５４】
なお、この実施の形態においては、ステップＳ３０４必要な画素数を算出するようにしたが、図１１に示したデータを有する第３テーブル３３３をデータメモリ３３に格納しておき、これらから必要な画素数を読み出すようにしてもよい。つまり、第３テーブル３３３には、「Ａ２  ヨコ」「Ａ４  タテ」「はがき  ヨコ」「六つ切」等の用紙の種類に対応して、当該用紙の用紙サイズＷ（ｍｍ）とＨ（ｍｍ）、縦横比Ｗ／Ｈ、２００ｄｐｉで印刷する場合の横（Ｗ）の必要画素数（ｐｉｘｅｌ）と縦（Ｈ）の必要画素数（ｐｉｘｅｌ）、３００ｄｐｉで印刷する場合の横（Ｗ）の必要画素数（ｐｉｘｅｌ）と縦（Ｈ）の必要画素数（ｐｉｘｅｌ）が記憶しておくようにすればよい。
【００５５】
また、図１３に示した第４テーブル３３４をデータメモリ３３に格納しておくようにしてもよい。すなわち、第４テーブル３３４には、「Ａ２」「Ａ４」「はがき」「六つ切」等の用紙の種類に対応して、当該用紙の用紙サイズＷ（ｍｍ）とＨ（ｍｍ）が記憶されているとともに、４種類の画像サイズ「６４０×６４０＝４０９，６００」「１２８０×１２８０＝１，６８３，４００」・・・毎に評価が記憶されている。
【００５６】
各評価は、下記を意味する
×：使用不可（画素数の不足）
△：使用可（解像度は劣るが使用可能）
○：ＯＫ（低解像度プリンタ１５０〜２００ｄｐｉなら満足な品質）
◎：ＯＫ（高解像度プリンタ３０００ｄｐｉ〜でも満足な品質）
●：使用可（用紙サイズに比べて過剰品質、データ量が大きすぎる）
【００５７】
したがって、この第４テーブル３３４に基づき、印刷用紙サイズと印刷解像度（ｄｐｉ）に応じた必要かつ適正な画素数を設定することができる。
【００５８】
（第４の実施の形態）
図１４は、本発明の第４の実施の形態における処理手順を示すフローチャートである。先ず、選択用紙の種別または寸法を選択し（ステップＳ４０１）、プリンタの解像度（ｄｐｉ）を設定する（ステップＳ４０２）。引き続き、印刷用紙の縦横比（幅Ｗ／高Ｈ）を算出し（ステップＳ４０３）、下記式により印刷用紙の縦横解像度（ｄｐｉ）に応じて必要な画素数を算出する（ステップＳ４０４）。
必要画素数（ヨコ）＝用紙サイズ（ヨコ）×解像度（ｄｐｉ）／２５．４
必要画素数（タテ）＝用紙サイズ（ヨコ）×解像度（ｄｐｉ）／２５．４
【００５９】
次に、正方の撮影画像サイズを最高または設定画像サイズに設定し（ステップＳ４０５）、構図枠の記録画像サイズを最低画像サイズに設定する（ステップＳ４０６）。しかる後に、「ヨコ（Ｗ）≧縦（Ｈ）」あるいは「縦横比Ｗ／Ｈ≧１．０」であるか否かを判断し、この判断がＹＥＳである場合にはヨコ長と判定し、ＮＯである場合にはタテ長と判断する（ステップＳ４０７）。
【００６０】
そして、タテ長と判定した場合には、「画像サイズ（タテ）≧必要画素数（ヨコ）」であるか否かを判断し（ステップＳ４０８）、このステップＳ４０８の判断がＮＯである場合には一段上の画像サイズがあるか否かを判断する（ステップＳ４０９）。１段上の画像サイズがある場合には、撮影画像サイズを１段上げて設定した後（ステップＳ４１０）、ステップＳ４０８からの処理を再度実行する。
【００６１】
その結果、ステップＳ４０８の判断がＹＥＳとなった場合には、下記式にて構図枠領域の記録画像サイズを設定する（ステップＳ４１１）。
構図サイズ（ヨコ）＝設定画像サイズ×（Ｗ／Ｈ）
構図サイズ（タテ）＝設定画像サイズ×１．０
さらに、下記式にて正方視野内の構図枠を算出する（ステップＳ４１２）。
構図枠（ヨコ）＝正方画像サイズ×（Ｗ／Ｈ）
構図枠（タテ）＝正方画像サイズ×１．０
【００６２】
一方、ステップＳ４０７でヨコ長と判定した場合には、「構図枠の画像サイズ（ヨコ）≧必要画素数（ヨコ）」であるか否かを判断し（ステップＳ４１３）、このステップＳ４１３の判断がＮＯである場合には一段上の画像サイズがあるか否かを判断する（ステップＳ４１４）。１段上の画像サイズがある場合には、撮影画像サイズを１段上げて設定した後（ステップＳ４１５）、ステップＳ４１３からの処理を再度実行する。
【００６３】
その結果、ステップＳ４１３の判断がＹＥＳとなった場合には、下記式にて構図枠領域の記録画像サイズを設定する（ステップＳ４１６）。
構図サイズ（ヨコ）＝設定画像サイズ×１．０
構図サイズ（タテ）＝設定画像サイズ×（Ｗ／Ｈ）
さらに、下記式にて正方視野内の構図枠を算出する（ステップＳ４１７）。
構図枠（ヨコ）＝正方画像サイズ×１．０
構図枠（タテ）＝正方画像サイズ×（Ｗ／Ｈ）
【００６４】
次に、ＬＣＤファインダー１０にて正方撮像スルー画像に重ねて、ステップＳ４０１での選択により設定した縦横比の構図枠を表示処理する（ステップＳ４１８）。さらに、正方画像の撮影処理を実行し（ステップＳ４１９）、シャッタボタン６に応答して正方画像を符号化して画像メモリ３１に記録する（ステップＳ４２０）。また、撮影画像の中から設定された構図枠の領域を抽出し、設定された記録画像サイズに変換する（ステップＳ４２１）。さらに、設定された記録画像サイズに変換された構図枠画像データを、画像サイズ情報、用紙サイズ、縦横比情報も合わせて画像メモリ３１に記録する（ステップＳ４２２）。
【００６５】
（第５の実施の形態）
図１５は、本発明の第５の実施の形態における処理手順を示すフローチャートである。先ず、選択用紙を選択して構図枠の縦横比と画像サイズを設定する（ステップＳ５０１）。次に、ＬＣＤファインダー１０の視野内に被写体像スルー画像に重ねて選択された構図／縦横比の構図枠を最大表示させる（ステップＳ５０２）。シャッタボタン６が全押しされて撮影指示がなされたか否かを判断し（ステップＳ５０３）、撮影指示がなされない場合には、その他のキー処理、表示処理を実行する（ステップＳ５１３）。
【００６６】
撮影指示があった場合には、フルサイズの正方画像を撮影し、撮影画像を画像バッファメモリ２８に一時記憶する（ステップＳ５０４）。そして、編集優先モード（正方画像記録）が設定されているか否かを判断し（ステップＳ５０５）、設定されている場合には、画像バッファメモリ２８に一時記憶された正方の撮影画像を符号化して画像メモリ３１に記録（ＲＡＷデータ記録等）する（ステップＳ５０６）。したがって、編集優先モード（正方画像記録）が設定されている場合には、図１６（ａ）に示すように、画像メモリ３１には、構図枠画像は記録されることなく、正方フル画像のみがシャッタボタン６が全押しされる毎に記録されていくこととなる。
【００６７】
また、ステップＳ５０５での判断の結果、編集優先モード（正方画像記録）が設定されていない場合には、構図優先モード（構図枠画像記録）が設定されている否かを判断する（ステップＳ５０７）。設定されている場合には、画像バッファメモリ２８に一時記憶された正方の撮影画像から設定構図枠の領域を抽出し、符号化して画像メモリ３１に記録（ＪＰＥＧ等）する（ステップＳ５０８）。したがって、構図優先モード（構図枠画像記録）が設定されている場合には、図１６（ｂ）に示すように、画像メモリ３１には正方フル画像は記録されることなく、構図枠画像のみがシャッタボタン６が全押しされる毎に記録されていくこととなる。
【００６８】
また、ステップＳ５０７での判断の結果、構図優先モード（構図枠画像記録）が設定されていない場合には、構図＆編集モード（正方＆構図枠記録）が設定されている否かを判断する（ステップＳ５０９）。設定されていない場合には、その他の処理を実行する（ステップＳ５１２）。設定されている場合には、画像バッファメモリ２８に一時記憶されている撮影されたフルサイズ正方を符号化して画像メモリ３１に記録する（ステップＳ５１０）。さらに、画像バッファメモリ２８に一時記憶された正方の撮影画像から設定構図枠の領域を抽出し、符号化して画像メモリ３１に記録する（ステップＳ５１１）。したがって、構図＆編集モード（正方＆構図枠記録）が設定されている場合には、図１６（ｃ）に示すように、画像メモリ３１には正方画像（ＲＡＷデータ）と構図枠画像（ＪＰＥＧ圧縮データ）とがシャッタボタン６が全押しされる毎に記録されていくこととなる。
【００６９】
（記録画像データの再生または外部出力）
図１７は、以上に説明した第１〜第５の実施の形態において、画像メモリ３１に記録した画像データを再生しまたは外部出力する場合の処理手順を示すフローチャートである。静止画再生モードが設定されたか否か判断し（ステップＳ６０１）、設定されていない場合にはその他のモード処理を実行する（ステップＳ６０６）。静止画再生モードが設定された場合には、ユーザーによるその他の操作入力部２３での操作によりインデックス一覧の表示が指示されたか否かを判断し（ステップＳ６０２）、指示された場合には画像メモリ３１に記録されている画像を一覧表示またはインデックス表示する（ステップＳ６０３）。さらに、再生画像の選択操作がなされたか否かを判断し（ステップＳ６０４）、なされた場合にはユーザー操作に従い再生画像または外部出力画像を選択する（ステップＳ６０５）。しかる後に、その他のキー処理、表示処理を実行して（ステップＳ６２９）、リターンする。
【００７０】
また、ステップＳ６０２での判断の結果、インデックス一覧表示が指示されなかった場合には、ユーザーによるその他の操作入力部２３での操作により、フルサイズ（正方）画像の再生が指示されたか否かを判断する（ステップＳ６０７）。再生が指示された場合には、前記ステップＳ６０５で選択された画像を伸長または復号する（ステップＳ６０８）。さらに復号された正方画像を画像モニター（ＬＣＤファインダー１０）に再生表示する（ステップＳ６０９）。
【００７１】
また、ステップＳ６０７での判断の結果、フルサイズ（正方）画像の再生が指示されなかった場合には、ユーザーによるその他の操作入力部２３での操作により、縦／横構図または設定縦横比の画像の再生が指示されたか否かを判断する（ステップＳ６１０）。この再生が指示された場合には、前記ステップＳ６０５で選択された画像を伸長または復号する（ステップＳ６１１）。さらに復号された画像を設定構図または縦横比で画像モニター（ＬＣＤファインダー１０）に再生表示する（ステップＳ６１２）。
【００７２】
また、ステップＳ６１０での判断の結果、縦／横構図または設定縦横比の画像の再生が指示されなかった場合には、ユーザーによるその他の操作入力部２３での操作により、画像信号の外部出力が指示されたか否かを判断し（ステップＳ６１３）、この指示もなかった場合にはその他の処理を実行する（ステップＳ６２８）。
【００７３】
また、画像信号の外部出力が指示された場合には、前記ステップＳ６０５で選択された画像を伸長または復号し（ステップＳ６１４）、復号画像を画像モニター（ＬＣＤファインダー１０）の画面一杯に再生表示する（ステップＳ６１５）。次に、用紙寸法が選択されたか否かを判断し（ステップＳ６１６）、選択された場合にはユーザー操作に従い、印刷用紙の種別または用紙寸法（−２×余白寸法）を選択する。さらに、選択された印刷用紙の縦横比に応じて、外部出力の構図枠または任意の縦横比を設定する（ステップＳ６１８）。また、フルサイズの復号再生画像に重ねて、外部出力用に設定された構図枠または縦横比を表示させ（ステップＳ６１９）、再生画像から設定構図枠または縦横比の領域を抽出する（ステップＳ６２０）。
【００７４】
次に、ユーザーによるその他の操作入力部２３での操作により、画像サイズの自動変更が指示されたか否かを判断し（ステップＳ６２１）、指示されない場合にはステップＳ６２２及びＳ６２３の処理を行うことなくステップＳ６２４に進む。画像サイズの自動変更が指示があった場合には、下記式にて印刷用紙と解像度（ｄｐｉ）に応じて外部出力の画像サイズを設定する（ステップＳ６２２）。
画像サイズ（ヨコまたはタテ）＝(用紙寸法−２×余白寸法)(ｍｍ)×解像度(ｄｐｉ)／                                ２５．４
【００７５】
しかる後に、抽出された構図枠画像を設定された画像サイズに変換し（ステップＳ６２３）、プリンターに出力するか（ステップＳ６２４）、外部モニターに出力するか（ステップＳ６２６）を判断する。プリンターに出力する場合には、抽出または変換された構図枠画像を該当プリンター用のストリーム信号に変換して、外部Ｉ／Ｏインターフェース３５及びコネクタ４２を介して、外部出力する（ステップＳ６２５）。また、外部モニターに出力する場合には、抽出または変換された構図枠画像を該当モニター用のビデオ信号等に変換して、外部Ｉ／Ｏインターフェース３５及びコネクタ４２を介して、外部出力する（ステップＳ６２７）。
【００７６】
（その他の外部出力動作例）
【００７７】
なお、記録画像データの外部出力は図１７に示したフローチャートのみならず、以下のようにしてもよい。
【００７８】
図１８は、再生画像の外部出力の縦横比／解像度の設定制御例（１）を示す図である。図示のように、ＬＣＤファインダー１０に記録画像データの再生画像を表示し（ａ）、印刷用紙の種別／寸法が選択されると（ｂ）、用紙の縦横比／必要解像度に応じて画像サイズを自動選択し、該当縦横比の画像を抽出し（ｃ）、用紙の縦横比／解像度に応じて外部モニターやプリンタ等へ図示の画像データが出力する（ｄ）。つまり、印刷用紙の寸法と縦横比に応じて、選択した画像サイズから該当縦横比の画像領域を抽出して、用紙寸法内に入る画像サイズで外部出力する。
【００７９】
図１９は、再生画像の外部出力の縦横比／解像度の設定制御例（２）を示す図である。図示のように、ＬＣＤファインダー１０に記録画像データの再生画像を表示し（ａ）、印刷用紙の種別／寸法が選択されると（ｂ）、用紙の縦横比の画像を抽出し、必要解像度に応じて画像サイズを変更し（ｃ）、外部モニターやプリンタ等へ図示の画像データが出力する（ｄ）。つまり、本例は、印刷用紙の縦横比と解像度（ｄｐｉ）に応じて、用紙一杯の印刷寸法となる画像サイズに変換して外部出力する例である。
【００８０】
図２０は、再生画像の外部出力の縦横比／解像度の設定制御例（３）を示す図である。図示のように、ＬＣＤファインダー１０に記録画像データの再生画像を表示し（ａ）、印刷用紙の種別と余白寸法が選択されると（ｂ）、フチ取り分を減算した用紙寸法の縦横比の画像を抽出し、必要解像度に応じて画像サイズを変換し（ｃ）、外部モニターやプリンタ等へ図示の画像データが出力する（ｄ）。本例によれば、図２１に示すように、用紙の縦横比、解像度（ｄｐｉ）、所定寸法の余白（５ｍｍ、１０ｍｍ）でフチ取りした印刷寸法となる画像サイズに変換して外部出力されることとなる。
【００８１】
（第６の実施の形態）
図２２は、本発明の第６の実施の形態における処理手順を示すフローチャートである。先ず、ユーザーによるその他の操作入力部２３での操作により、静止画撮影モードが設定されているか否かを判断する（ステップＳ７０１）。静止画撮影モードが設定されている場合には、露出条件、画像サイズ（図２５に示す画像サイズ：Ｌ〜Ｍ）などの撮影条件を設定する（ステップＳ７０２）。さらに、ユーザーによるその他の操作入力部２３での操作により、ファインダー及び撮影領域の構図枠（横長構図と縦長構図のいずれか）とその縦横比を設定する（ステップＳ７０３）。このとき、ユーザーは、その他の操作入力部２３での操作により、「０．７５」、「１．３３」等アスペクト比を入力するか、ＬＣＤファインダー１０に表示されるアスペクト比を選択する。
【００８２】
次に、測光処理、ＷＢ処理を実行し（ステップＳ７０４）、ズームボタン８の操作に対する操作の有無に基づき、ズーム操作があったか否かを判断する（ステップＳ７０５）。ズーム操作があった場合にはズーム処理を実行し（ステップＳ７０６）、引き続きＡＦ処理を実行する（ステップＳ７０７）。
【００８３】
また、選択画素数（ステップＳ７０２で設定された画像サイズ）と、ステップＳ７０３で設定された縦横比から構図枠の縦横画素数（当該縦横比の構図枠をＬＣＤファインダー１０に最大限に表示させる場合の縦横画素数）を算出する（ステップＳ７０８）。そして、被写体像のスルー画像を設定された縦横比の構図枠とともにＬＣＤファインダー１０に表示させる（ステップＳ７０９）。これにより、図２３に例示したように、ＬＣＤファインダー１０には被写体スルー画像１０１が表示されるとともに、設定された縦横比の構図枠１０２が正方形のＬＣＤファインダー１０において最大限に表示される。したがって、ユーザーはＬＣＤファインダー１０を視認しつつ構図枠内に被写体の所望部分が所望の大きさで収まるように、このデジタルカメラ１の向き等を調整する。
【００８４】
また、ユーザーによるその他の操作入力部２３での予めの操作により、データ表示がＯＮとなっているか否かを判断し（ステップＳ７１０）、ＯＮとなっている場合には、前記ステップＳ７０９で表示された構図枠は横長の構図であるか否かを判断する（ステップＳ７１１）。横長の構図である場合には、撮影条件や設定情報を構図枠の上下に表示させる（ステップＳ７１２）。また、横長の構図ない場合（縦長の構図）には、撮影条件や設定情報を構図枠の左右に表示させる（ステップＳ７１３）。
【００８５】
しかる後に、シャッタボタン６が全押しされて撮影指示がなされたか否かを判断する（ステップＳ７１４）。撮影指示がなされない場合には、構図枠の縦横比の選択操作がなされたか否かを判断する（ステップＳ７１５）。選択操作がなされたならば、ユーザー操作に従って、縦／横構図または任意アスペクト比の構図枠を選択する（ステップＳ７１６）。したがって、図２３に示すように、ユーザーはその他の操作入力部２３に設けられている△▽キーを操作することにより、アスペクト比を変化させて構図枠を変化させることができる。
【００８６】
そして、シャッタボタン６が全押しされて撮影指示がなされると、測光処理、ＷＢ処理、ＡＦ処理を実行し（ステップＳ７１７）、ユーザーによるその他の操作入力部２３での予めの操作によりフルサイズ（正方）画像を自動記録するモードが設定されているか否かを判断する（ステップＳ７１８）。設定されている場合には、フルサイズの正方画像（撮像素子６４が受光面で受光した画像）を符号化して画像メモリ３１に記録（ＲＡＷデータ等圧縮記録）する（ステップＳ７１９）。また、撮影画像の中から設定された構図枠の領域を抽出し、圧縮符号化して画像メモリ３１に記録（ＪＰＥＧ圧縮符号化記録）する（ステップＳ７２０）。そして、その他のキー処理、表示処理を実行した後（ステップＳ７３６）、リターンする
【００８７】
したがって、例えば前記ステップＳ７０１で静止画撮影モードが選択されていて、ステップＳ７０３で横長構図または縦長構図とその縦横比が設定されたとすると、ステップＳ７０９の処理で、図２４（ａ）に示したように、ＬＣＤファインダー１０に被写体１００のスルー画像１０１が表示されるとともに、設定された縦横比の構図枠１０２が正方形のＬＣＤファインダー１０において最大限に表示される。したがって、ユーザーは横長構図または縦長構図とその縦横比を設定することにより、容易に所望の形状からなる画像範囲を指定することができる。また、ステップＳ７１９の処理により、フルサイズの正方画像データ１０３が画像メモリ３１に記録される。さらに、ステップＳ７２０での処理により、選択した縦横スペクト比の画像データ１０４が画像メモリ３１に記録されることとなる。
【００８８】
他方、ステップＳ７０１での判断の結果、静止画撮影モードが設定されていない場合には、動画撮影モードが選択されているか否かを判断する（ステップＳ７２１）。動画撮影モードも選択されていない場合にはその他のモード処理を実行し（ステップＳ７２２）、選択されている場合には、動画撮影の撮影条件を設定する（ステップＳ７２３）。さらに、ユーザーによるその他の操作入力部２３での操作により、動画用ファインダー及び撮影領域の構図枠（横長構図と縦長構図のいずれか）とその縦横比を設定し（ステップＳ７２４）、測光処理、ＷＢ処理を実行する（ステップＳ７２５）。また、ズームボタン８の操作に対する操作の有無に基づき、ズーム操作があったか否かを判断し（ステップＳ７２６）、ズーム操作があった場合にはズーム処理を実行し（ステップＳ７２７）、引き続きＡＦ処理を実行する（ステップＳ７２８）。
【００８９】
そして、被写体像のスルー画像を設定された縦横比の構図枠とともにＬＣＤファインダー１０に表示させ、このとき構図枠は、ＬＣＤファインダー１０において最大限に表示させる（ステップＳ７２９）。したがって、ユーザーはＬＣＤファインダー１０を視認しつつ構図枠内に被写体の所望部分が所望の大きさで収まるように、このデジタルカメラ１の向き等を調整する。また、ユーザーによるその他の操作入力部２３での予めの操作により、データ表示がＯＮとなっているか否かを判断し（ステップＳ７３０）、ＯＮとなっている場合には、動画撮影の撮影条件や設定データをＬＣＤファインダー１０に表示させる（ステップＳ７３１）。
【００９０】
しかる後に、録画開始／停止ボタン７の操作により動画撮影中となったか否かを判断する（ステップＳ７３２）。動画撮影中となっていない場合には、構図枠の縦横比の選択操作がなされたか否かを判断する（ステップＳ７３３）。選択操作がなされたならば、ユーザー操作に従って、動画用の構図の中から構図枠を選択する（ステップＳ７３４）。録画開始／停止ボタン７の操作により動画撮影中になると、撮影動画像の選択された構図枠の画像を順次符号化して画像メモリ３１に記録（ＡＶＩ、ＪＰＥＧ等、動画用の符号化記録する（ステップＳ７３５）。そして、前述と同様にその他のキー処理、表示処理を実行した後（ステップＳ７３６）、リターンする
【００９１】
したがって、図２４（ｂ）に示したように、例えば前記ステップＳ７２１で動画画撮影モードが選択されていて、ステップＳ７２４で動画用の横長構図が設定されたとすると、ステップＳ７２９の処理で、ＬＣＤファインダー１０に被写体１００のスルー画像１０１が表示されるとともに、設定された縦横比の構図枠１０２が正方形のＬＣＤファインダー１０において最大限に表示される。したがって、ユーザーは横長構図または縦長構図とその縦横比を設定することにより、容易に所望の形状からなる画像範囲を指定することができる。また、ステップＳ７３５の処理により、選択した縦横スペクト比の動画データ１０５が画像メモリ３１に記録されることとなる。
【００９２】
なお、図２５に示すように、正方視野の画像サイズ（Ｌ、Ｍ、Ｓ）と選択された構図枠の縦横比（２：３、４：３・・・）に従って、縦横の画像サイズ（画素数）を自動選択するようにしてもよい。
【００９３】
図２６は、前記ステップＳ７１２及びＳ７１３における表示例を示す図である。構図枠が横長の構図である場合には、左列に示すように、撮影条件や設定情報を構図枠の上下に表示させる（ステップＳ７１２）。また、縦長の構図である場合には、右列に示すように、撮影条件や設定情報を構図枠の左右に表示させる（ステップＳ７１３）。なお、図示のように、その他の操作入力部２３に設けられているＤＩＳＰキーの操作により、データ表示無しとしたり、ＬＣＤファインダー１０を消灯させることも可能である。
【００９４】
（第７の実施の形態）
図２７は、本発明の第７の実施の形態における処理手順を示すフローチャートである。先ず、縦構図または横構図及びこれらの縦横比、若しくは縦横比のみを選択する（ステップＳ８０１）。次に、ＬＣＤファインダー１０の視野内に被写体像スルー画像に重ねて選択された構図／縦横比の構図枠を最大表示させる（ステップＳ８０２）。シャッタボタン６が全押しされて撮影指示がなされたか否かを判断し（ステップＳ８０３）、撮影指示がなされない場合には、その他のキー処理、表示処理を実行する（ステップＳ８１３）。
【００９５】
撮影指示があった場合には、フルサイズの正方画像を撮影し、撮影画像を画像バッファメモリ２８に一時記憶する（ステップＳ８０４）。そして、編集優先モード（正方画像記録）が設定されているか否かを判断し（ステップＳ８０５）、設定されている場合には、画像バッファメモリ２８に一時記憶された正方の撮影画像を符号化して画像メモリ３１に記録する（ステップＳ８０６）。したがって、編集優先モード（正方画像記録）が設定されている場合には、前記図１６（ａ）に示したように、画像メモリ３１には、構図枠画像は記録されることなく、正方フル画像のみがシャッタボタン６が全押しされる毎に記録されていくこととなる。
【００９６】
また、ステップＳ８０５での判断の結果、編集優先モード（正方画像記録）が設定されていない場合には、構図優先モード（構図枠画像記録）が設定されている否かを判断する（ステップＳ８０７）。設定されている場合には、画像バッファメモリ２８に一時記憶された正方の撮影画像から選択縦横比の構図枠の領域を抽出し、符号化して画像メモリ３１に記録する（ステップＳ８０８）。したがって、構図優先モード（構図枠画像記録）が設定されている場合には、前記図１６（ｂ）に示したように、画像メモリ３１には正方フル画像は記録されることなく、構図枠画像のみがシャッタボタン６が全押しされる毎に記録されていくこととなる。
【００９７】
また、ステップＳ８０７での判断の結果、構図優先モード（構図枠画像記録）が設定されていない場合には、構図＆編集モード（正方＆構図枠記録）が設定されている否かを判断する（ステップＳ８０９）。設定されていない場合には、その他の処理を実行する（ステップＳ８１２）。設定されている場合には、画像バッファメモリ２８に一時記憶されている撮影されたフルサイズ正方を符号化して画像メモリ３１に記録する（ステップＳ８１０）。さらに、画像バッファメモリ２８に一時記憶された正方の撮影画像から選択縦横比の構図枠の領域を抽出し、符号化して画像メモリ３１に記録する（ステップＳ８１１）。したがって、構図＆編集モード（正方＆構図枠記録）が設定されている場合には、前記図１６（ｃ）に示したように、画像メモリ３１には正方画像（ＲＡＷデータ）と構図枠画像（ＪＰＥＧ圧縮データ）とがシャッタボタン６が全押しされる毎に記録されていくこととなる。
【００９８】
（記録画像データの再生または外部出力）
図２８は、以上に説明した第６〜第８の実施の形態において、画像メモリ３１に記録した画像データを再生しまたは外部出力する場合の処理手順を示すフローチャートである。静止画再生モードが設定されたか否か判断し（ステップＳ９０１）、設定されていない場合にはその他のモード処理を実行する（ステップＳ９０６）。静止画再生モードが設定された場合には、ユーザーによるその他の操作入力部２３での操作によりインデックス一覧の表示が指示されたか否かを判断し（ステップＳ９０２）、指示された場合には画像メモリ３１に記録されている画像を一覧表示またはインデックス表示する（ステップＳ９０３）。さらに、再生画像の選択操作がなされたか否かを判断し（ステップＳ９０４）、なされた場合にはユーザー操作に従い再生画像または外部出力画像を選択する（ステップＳ９０５）。しかる後に、その他のキー処理、表示処理を実行して（ステップＳ９２９）、リターンする。
【００９９】
また、ステップＳ９０２での判断の結果、インデックス一覧表示が指示されなかった場合には、ユーザーによるその他の操作入力部２３での操作により、フルサイズ（正方）画像の再生が指示されたか否かを判断する（ステップＳ９０７）。再生が指示された場合には、前記ステップＳ９０５で選択された画像を伸長または復号する（ステップＳ９０８）。さらに復号された正方画像を画像モニター（ＬＣＤファインダー１０）に再生表示する（ステップＳ９０９）。
【０１００】
また、ステップＳ９０７での判断の結果、フルサイズ（正方）画像の再生が指示されなかった場合には、ユーザーによるその他の操作入力部２３での操作により、縦／横構図または設定縦横比の画像の再生が指示されたか否かを判断する（ステップＳ９１０）。この再生が指示された場合には、前記ステップＳ９０５で選択された画像を伸長または復号する（ステップＳ９１１）。さらに復号された画像を設定構図または縦横比で画像モニター（ＬＣＤファインダー１０）に再生表示する（ステップＳ９１２）。
【０１０１】
また、ステップＳ９１０での判断の結果、縦／横構図または設定縦横比の画像の再生が指示されなかった場合には、ユーザーによるその他の操作入力部２３での操作により、画像信号の外部出力が指示されたか否かを判断し（ステップＳ９１３）、この指示もなかった場合にはその他の処理を実行する（ステップＳ９２８）。
【０１０２】
また、画像信号の外部出力が指示された場合には、前記ステップＳ９０５で選択された画像を伸長または復号し（ステップＳ９１４）、復号画像を画像モニター（ＬＣＤファインダー１０）の画面一杯に再生表示する（ステップＳ９１５）。次に、その他の操作入力部２３で、外部出力の縦横比の選択操作がなされたか否かを判断する（ステップＳ９１６）。この選択操作がなされた場合には、ユーザー操作に従い、外部出力の構図枠または任意の縦横比を設定する（ステップＳ９１７）。そして、ＬＣＤファインダー１０にて、再生画像に重ねて、外部出力用に設定された構図枠または縦横比を表示し（ステップＳ９１８）、しかる後に再生画像から設定構図枠または縦横比の領域を抽出して、外部Ｉ／Ｏインターフェース３５及びコネクタ４２を介して、外部出力する（ステップＳ９１９）。
【０１０３】
図２９は、ステップＳ９１５〜ステップＳ９１９の処理に対応する表示遷移図である。前記ステップＳ９１５での処理により、（ａ）に示すように、ＬＣＤファインダー１０に記録画像データの再生画像が画面一杯に再生表示される。外部出力の縦横比の選択操作がなされるとステップＳ９１７での処理により、外部出力の構図枠または任意の縦横比が設定され、（ｂ）に示すように、再生画像に重ねて、外部出力用に設定された構図枠または縦横比が表示される。そして、ステップＳ９１９での処理により、外部モニター等へ（ｃ）に示す画像の画像データが出力される。
【０１０４】
なお、実施の形態において、図１に示した外部構造のデジタルカメラ１に本発明を適用するようにしたが、これに限ることなく、静止画及び動画撮影機能を備えた携帯電話、薄型のデジタルカメラ、本体と蓋体とからなり一方にＬＣＤファインダーを備え他方にモニターを備える二つ折りのデジタルカメラ、ユーザーの操作により当該ユーザー自身を撮影可能なデジタルカメラ、隣接した二つの画面を有し両画面に連続する単一のスルー画像を表示させるデジタルカメラ等、他の構造からなる撮像装置に本発明を適用することができる。
【０１０５】
また、実施の形態においては、指定された画像範囲の形状を示す形状ガイドとして、当該画像範囲の四隅を示す枠を用いたが、画像範囲全体を囲繞する枠や、画像範囲の縦横のみを示すガイド等他の形状ガイドであってもよい。また、実施の形態においては、指定された画像範囲の形状を矩形としたが、矩形に限らず他の多角形あるいは丸等の形状であってもよい。
【図面の簡単な説明】
【０１０６】
【図１】本発明の各実施の形態に共通するデジタルカメラの斜視図である。
【図２】同デジタルカメラの撮影時の握持状態を示す図である。
【図３】同デジタルカメラの回路構成を示すブロック図である。
【図４】第１テーブルを示す概念図である。
【図５】第２テーブルを示す概念図である。
【図６】本発明の第１の実施の形態における撮影と記録動作の説明図である。
【図７】同実施の形態における処理手順を示すフローチャートである。
【図８】本発明の第２の実施の形態における処理手順を示すフローチャートである。
【図９】同実施の形態の表示遷移図である。
【図１０】本発明の第３の実施の形態における処理手順を示すフローチャートである。
【図１１】第３テーブルを示す概念図である。
【図１２】同実施の形態におけるファインダー表示例を示す図である。
【図１３】第３テーブルを示す概念図である。
【図１４】本発明の第４の実施の形態における処理手順を示すフローチャートである。
【図１５】本発明の第５の実施の形態における処理手順を示すフローチャートである。
【図１６】同実施の形態における画像メモリの記録状態を示す図である。
【図１７】第１〜第５の実施の形態において画像メモリに記録した画像データを再生しまたは外部出力する場合の処理手順を示すフローチャートである。
【図１８】再生画像の外部出力の縦横比／解像度の設定制御例（１）を示す図である。
【図１９】再生画像の外部出力の縦横比／解像度の設定制御例（２）を示す図である。
【図２０】再生画像の外部出力の縦横比／解像度の設定制御例（３）を示す図である。
【図２１】用紙の縦横比、解像度（ｄｐｉ）、所定寸法の余白（５ｍｍ、１０ｍｍ）と画像サイズとの関係を示す図である。
【図２２】本発明の第６の実施の形態における処理手順を示すフローチャートである。
【図２３】同実施の形態におけるファインダー表示例を示す図である。
【図２４】同実施の形態における撮影と記録動作の説明図である。
【図２５】同実施の形態における他のファインダー表示例を示す図である。
【図２６】ステップＳ７１２及びＳ７１３における表示例を示す図である。
【図２７】本発明の第７の実施の形態における処理手順を示すフローチャートである。
【図２８】第６〜第８の実施の形態において、画像メモリに記録した画像データを再生しまたは外部出力する場合の処理手順を示すフローチャートである。
【図２９】ステップＳ９１５〜ステップＳ９１９の処理に対応する表示遷移図である。
【符号の説明】
【０１０７】
１    デジタルカメラ
２    本体
３    撮像レンズ
６    シャッタボタン
７    録画開始／停止ボタン
８    ズームボタン
９    外部出力端子部
１０    ＬＣＤファインダー
２３    その他の操作入力部
２４    入力回路
２５    制御回路
２６    表示メモリ
２７    表示駆動ブロック
２８    画像バッファメモリ
２９    画像信号処理部
３０    圧縮符号化／伸長復号化部
３１    静止画／動画画像メモリ
３２    プログラムメモリ
３３    データメモリ
３４    外部メモリインタフェース
３６    電源制御ブロック
４６    撮影制御ブロック
５１    ズーム制御ブロック
５６    露出制御ブロック
５７    測距制御ブロック
６４    撮像素子
６５    ＣＤＳ／ＡＧＣ
６６    測距センサ
１００    被写体
１０１    被写体スルー画像
１０２    構図枠
１０３    正方画像データ
１０４    画像データ
１０５    動画データ
３３１    第１テーブル
３３２    第２テーブル
３３３    第３テーブル
３３４    第４テーブル
６４１    画像データ
【図１】
2005354577.tif 000003
【図２】
2005354577.tif 000004
【図３】
2005354577.tif 000005
【図４】
2005354577.tif 000006
【図５】
2005354577.tif 000007
【図６】
2005354577.tif 000008
【図７】
2005354577.tif 000009
【図８】
2005354577.tif 000010
【図９】
2005354577.tif 000011
【図１０】
2005354577.tif 000012
【図１１】
2005354577.tif 000013
【図１２】
2005354577.tif 000014
【図１３】
2005354577.tif 000015
【図１４】
2005354577.tif 000016
【図１５】
2005354577.tif 000017
【図１６】
2005354577.tif 000018
【図１７】
2005354577.tif 000019
【図１８】
2005354577.tif 000020
【図１９】
2005354577.tif 000021
【図２０】
2005354577.tif 000022
【図２１】
2005354577.tif 000023
【図２２】
2005354577.tif 000024
【図２３】
2005354577.tif 000025
【図２４】
2005354577.tif 000026
【図２５】
2005354577.tif 000027
【図２６】
2005354577.tif 000028
【図２７】
2005354577.tif 000029
【図２８】
2005354577.tif 000030
【図２９】
2005354577.tif 000031